(57)【要約】  【課題】  ケーブルの電柱間の架線を効率的に行う。  【解決手段】  一対の電柱１Ａ，１Ｂ間に張架した吊線ａに支持させたケーブル支持具２に支持させるようにして前記電柱１Ａ，１Ｂ間にケーブル１８を架設するようにしたケーブルの架線方法であって、一方の電柱から他方の電柱へと各電柱側から前記吊線に沿わせて前記ケーブル支持具２を挿通させるようにして通線ツール１６Ａ，１６Ｂを押送し、該通線ツール１６Ａ，１６Ｂの先端に設けた接続材２２，２５を、前記押送に伴う接触により互いに接続して前記通線ツールを接続し、しかる後、一方の前記通線ツール１６Ａに接続したリードワイヤー１７を牽引して他の一方の前記通線ツール１６Ｂに接続したケーブル１８を前記電柱１Ａ，１Ｂ間に架線する。【選択図】    図１
2005184915.tif 000002
【特許請求の範囲】
【請求項１】
一対の電柱間に張架した吊線に支持させたケーブル支持具に支持させるようにして前記電柱間にケーブルを架設するようにしたケーブルの架線方法であって、一方の電柱から他方の電柱へと各電柱側から前記吊線に沿わせて前記ケーブル支持具を挿通させるようにして通線ツールを押送し、該通線ツールの先端に設けた接続材を、前記押送に伴う接触により互いに接続して前記通線ツールを接続し、しかる後、一方の前記通線ツールに接続したリードワイヤーを牽引して他の一方の前記通線ツールに接続したケーブルを前記電柱間に架線することを特徴とするケーブルの電柱間架線方法。
【請求項２】
操作棒の上端に螺旋杆部を横設した仮設ハンガーツールの前記螺旋杆部を、前記操作棒の地上からの操作により一対のケーブル支持具間に必要に応じて介在させて該ケーブル支持具を連通させ、しかる後、通線ツールを前記螺旋杆部を通じて前記ケーブル支持具間に挿通させることを特徴とする請求項１記載のケーブルの電柱間架線方法。
【発明の詳細な説明】
【技術分野】
【０００１】
本発明は、一対の電柱間に張架した吊線に支持させたケーブル支持具に支持させるようにして前記電柱間にケーブルを架設するようにしたケーブルの架線方法に関するものである。
【背景技術】
【０００２】
吊線に沿わせて吊線に支持させたケーブル支持具内を挿通させながら通線ロッド（リードワイヤーの先端に通線ツールを接続した構造のもの）によって電柱間に牽引ロープを延線し、該牽引ロープの先端にケーブルを接続した後、該ケーブルを繰り出しながら牽引ロープを巻取ることで前記ケーブルを電柱間に架線するようにした方法がある（例えば、特許文献１）。
【０００３】
【特許文献１】特開２００２−１７０１３号公報
【発明の開示】
【発明が解決しようとする課題】
【０００４】
前記従来方法で用いる通線ロッドのリードワイヤーは、剛性に優れて指向性が高く、しかも、リールに巻き取れる、例えばＦＲＰ製の線材で成るものであるが、その剛性、指向性にも限界があり、ある程度の長さ以上になると指向性が低減し、通線ロッドを一方の電柱から他方の電柱へと移動させるには距離的な制約があり、従って、前記従来方法は適用上の制約がある。
【０００５】
また、従来方法では一方の電柱側から他方の電柱へリードワイヤーで通線ツールを押送し、ケーブル牽引用ロープを引き戻した後、牽引用ロープにケーブルを接続して牽引用ロープを牽引してケーブルを架設するという工法であるため、ケーブルの架設に時間がかかる。
【０００６】
本発明は、前記の適用上の制約を受けにくく、しかも、ケーブルの架線を効率的に行える方法を提供すべく創案したものである。
【課題を解決するための手段】
【０００７】
一対の電柱間に張架した吊線に支持させたケーブル支持具に支持させるようにして前記電柱間にケーブルを架設するようにしたケーブルの架線方法であって、一方の電柱から他方の電柱へと各電柱側から前記吊線に沿わせて前記ケーブル支持具を挿通させるようにして通線ツールを押送し、該通線ツールの先端に設けた接続材を、前記押送に伴う接触により互いに接続して前記通線ツールを接続し、しかる後、一方の前記通線ツールに接続したリードワイヤーを牽引して他の一方の前記通線ツールに接続したケーブルを前記電柱間に架線するようにするのである。
【０００８】
なお、一対の電柱間に他の電柱が介在してケーブル支持具が断絶する場合があるが、例えば、このようなとき、操作棒の上端に螺旋間部を横設した架設ハンガーツールの前記螺旋杆部を、前記操作棒の地上からの操作により一対のケーブル支持具間に必要に応じて介在させて該ケーブル支持具を連通させ、しかる後、通線ツールを前記螺旋杆部を通じて前記ケーブル支持具間に挿通させるようにすることによりケーブルの電柱間架線を円滑に行うことができる。
【発明の効果】
【０００９】
本発明は、架線する両電柱側から通線ツールを送り込んでこれらを接続するものであるから、通線ツールの送り込み時間を短縮させることができ、従って、架線作業を効率的に行える。
【実施例】
【００１０】
図面は本発明に係るケーブルの電柱間架設方法の一実施形態を示し、図１は工程順を示す略示説明図、図２は一方の通線ロッドの先端に設けた先導材の側面図、図３は接続雄材の正面図、図４は他方の通線ロッドの先端に設けた先導材の一部の側面図、図５は接続雄材と接続雌材を互いに接続させた状態を示す側面図、図６は仮設ハンガーツールを適用した状態の略示説明図、図７は仮設ハンガーツールの正面図、図８は仮設ハンガーツールの平面図、図９は仮設ハンガーツールの一部拡大側面図である。
【００１１】
図１で本発明に係るケーブルの電柱間架設方法の工程図を示すが、該工程図で示す方法は、第一、第二の電柱１Ａ，１Ｂの間に第三電柱１Ｃを配した第一電柱１Ａと第二電柱１Ｂの間にケーブルを架線するようにしたもので、第一電柱１Ａと第三電柱１Ｃの間および第二電柱１Ｂと第三電柱１Ｃの間のそれぞれは吊線ａで支持させたケーブル支持具２を配してある。
【００１２】
実施形態のケーブル支持具２は、樹脂被覆した鋼線より成る螺旋杆体を連結手段によって順次連結するようにして電柱１Ａ，１Ｃ間と電柱１Ｂ，１Ｃ間に配したものであるが、螺旋杆体に代えて所謂ケーブルハンガーを吊線ａに適宜の間隔に取付けてケーブル支持具２を構成させても良い。
【００１３】
しかして、図示の場合は、螺旋杆体で成るケーブル支持具２を用い、前記吊線ａが第三電柱１Ｃが存することにより、第一、第二の電柱１Ａ，１Ｂ間に連続して配せられない関係上、ケーブル支持具２は第三電柱１Ｃ部においては断絶した状態にある（図１（ａ）参照）。
【００１４】
この断絶状態を解消するため、仮設ハンガーツール３を第一電柱１Ａ側の前記ケーブル支持具２の第三電柱１Ｃ側の端末と、第二電柱１Ｂ側の前記ケーブル支持具２の第三電柱１Ｃ側の端末間に組付け、この仮設ハンガーツール３に備えた螺旋杆部４の仲介によって前記各ケーブル支持具２，２の螺旋形内側を互いに連通させて通線ツールが螺旋形内側から脱落することなく第一、第二電柱１Ａ，１Ｂ間を移動できるようにするのである。すなわち、実施形態は、仮設ハンガーツール３の取付け作業を第一工程とするのであるが、これは、第三電柱Ｃが存することによるケーブル支持具２，２の連続性が損われているからであって、第三電柱Ｃが省略された第一、第二電柱１Ａ，１Ｂのみの配置関係にあるときは、該電柱１Ａ，１Ｂ間でケーブル支持具２は連続しているからこの仮設ハンガーツール３の取付け作業は省略されることになる。
【００１５】
仮設ハンガーツール３は、操作棒５の上端にツール本体６を着脱自在に組付けて構成し、ツール本体６は取付杆部７ａの上端に支持杆部７ｂを横設したＴ字形の主体杆７の支持杆部７ｂに前記螺旋杆部４を止着したもので、主体杆７の取付杆部７ａを伸縮装置８を備えた前記操作棒５の上端に嵌挿して操作棒５と組合わせ、前記ケーブル支持具２の螺旋形の内径とほぼ同形にして、かつ、支持具２の螺旋ピッチとほぼ同じ螺旋ピッチにした螺旋杆部４の上端に前記吊線ａに取付ける掛止材９を設けたものである。
【００１６】
掛止材９は、ツール本体６の螺旋杆部４の上端の３個所に設けてあり、掛止材９は主体片１０と挟持片１１の相対向面に設けた係合溝１２Ａ，１２Ｂに前記螺旋杆部４を係合して挟持片１１を通じて止着ねじ１３の先端を主体片１０に螺入することによって両片９，１０を締付けて、前記の通り螺旋杆部４に設けたもので、主体片１０の上端面に係合切欠１４を設けて該係合切欠１４の下部で構成する係合部１４ａに前記吊線ａを係合するようにし、係合部１４ａは前記主体片１０の状態の一端に基端を止着したほぼＬ字形の、弾性の閉塞片１５で開閉するようにしてある。
【００１７】
閉塞片１５は基端部を主体片１０の上端にねじ止めした円弧状の縦部片１５ｂと該縦部片１５ｂの下端を水平方向に折り曲げ状とした先端部片１５ａとで構成し、前記吊線ａが前記係合部１４ａに係合時に縦部片１５ｂに、また、係合部１４ａから離脱時に前記先端部片１５ａにそれぞれ圧接する際、閉塞片１５の弾性付勢に抗して先端部片１５ａが係合して前記係合部１４ａを開放する切欠１４ｂを、係合切欠１４の、閉塞片１５基端を止着した側の側壁１４´に形成してある。すなわち、係合切欠１４に吊線ａを係合する際に、吊線ａが係合切欠１４内を降下して（相対的に）該降下路中に存する閉塞片１５の縦部片１５ｂを押圧し、この結果、縦部片１５ｂを弾性変形させて吊線ａは降下し、先端部片１５ａが切欠１４ｂに係合することによって、吊線ａは閉塞片１５部（縦部片１０ｂ部）を通過して係合部１４ａ内に係合し、吊線ａによる押圧から開放された閉塞片１５はその弾性により原位置に復帰し、係合部１４ａを閉塞して係合部１４ａ内に吊線ａを閉じ込めることになる。また、この状態で吊線ａを上昇させると（相対的に）、該吊線ａは先端部片１５ａを押圧し、この結果、閉塞片１５の縦部片１５ｂ部が弾性変形して先端部片１５ａを切欠１４ｂに係合する方向に移動させ、吊線ａを縦部片１５ｂに沿って瞬時に上昇して係合切欠１４より離脱し、閉塞片１５は弾性が作用して原位置に復帰するのである。
【００１８】
しかして、伸縮装置８を操作することにより、地上から吊線ａ位置までの高さに合わせるようにして操作棒５の長さを調節してその先端にツール本体６を組付けた操作棒５を地上から起立させて（図１（ａ））、ツール本体６の螺旋杆部４に備えた掛止材９の係合切欠１４を吊線ａの直下に配して前記操作棒５を押し上げると、掛止材９は上昇して係合切欠１４部に装置した閉塞片１５の縦部片１５ｂの外面は吊線ａに圧接しつつ上昇することになり、該上昇に伴って縦部片１５ｂは弾性変形し、先端部片１５ａが切欠１４ｂに係合して係合部１４ａが吊線ａ位置に上昇し、吊線ａが係合部１４ａに相対的に係合した状態となり、このとき、吊線ａとの接触（吊線ａの圧接）から開放された閉塞片１５は弾性作用により原位置に復帰し、吊線ａが係合した係合部１４ａを閉塞し、この状態で操作棒５の手先による支持を止めると、閉塞片１５の先端部片１５ａが吊線ａ上に載った状態でツール本体６すなわち仮設ハンガーツール３は吊線ａに掛止され、該ツール３の螺旋杆部４は第三電柱１Ｃを介する第一電柱１Ａ側のケーブル支持具２と第二電柱１Ｂ側のケーブル支持具２との間に介在し、該ケーブル支持具２，２間のケーブル支持部のない部分を補填し、第三電柱１Ｃを介する第一、第二の電柱１Ａ，１Ｂ間のケーブル支持部が連続的となるのである。
【００１９】
このようにして、仮設ハンガーツール３を吊線ａを利用してケーブル支持具２，２間に配した後、第一電柱１Ａと第二電柱１Ｂのそれぞれから通線ツール１６Ａ，１６Ｂをケーブル支持具２に挿通させるようにして押送するのである（図１（ｂ））。
【００２０】
実施例の場合は、第一電柱１Ａ側からはリードワイヤー１７の先端に接続した通線ツール１６Ａを押送し、第二電柱１Ｂ側からはケーブル１８の先端に接続した通線ツール１６Ｂを押送するようにしているが、第一電柱１Ａと第二電柱１Ｂを相互に代えても良く、通線ツール１６Ａにケーブル１８を、他の通線ツール１６Ｂにリードワイヤー１７を接続してももとより差し支えはない。
【００２１】
リードワイヤー１７の先端に接続した、一方の通線ツール１６Ａは、主体杆１９の先端側に複数本の弾性杆２０，…の基部を取付け、該弾性杆２０を円弧状に屈曲してその先端を主体杆１９の後部側に配して集束材２１で集束させ、主体杆１９の先端に雄側接続材２２を設け、主体杆１９の後端に接続装置２３を介して前記リードワイヤー１７を接続したもので、ケーブル支持具２の螺旋形内に押し込み、押送すると、前記の弾性杆２０がその円弧形によって支持具２との接触抵抗を低減させて該ケーブル支持具２内を円滑に移動するようにしたものである（例えば、特開２００３−８７９１８号公報に記載の通り公知）。
【００２２】
この通線ツール１６Ａの先端に設けた前記雄側接続材２２は、直杆状の主体杆部２２ａの先端を後方に折り返して傾斜杆部２２ｂと成し、該傾斜杆部２２ｂの後端をほぼ直角に屈曲して第二傾斜杆部２２ｃと成し、該第二傾斜杆部２２ｃの自由端部を前記主体部２２ａの後部側を取り囲んで、かつ、前記第二傾斜杆部２２ｂと同角度に傾斜させた補強杆部２２ｄとで成る一対の弾性変形可能な屈曲杆２２Ａ，２２Ａを前記主体杆部２２ａにおいて固着手段２４によって互いに一体的にして構成し、主体杆部２２ａ，２２ａを通線ツール１６Ａの前記主体杆１９の先端に嵌挿、止着したもので、傾斜杆部２２ｂに半径方向の外力が負荷したとき該傾斜杆部２２ｂと主体杆２２ａの交点（接続）部を中心にして弾性変形して縮径するようになっており、前記外力の負荷の解放により原状に復帰し、この弾性変形による復帰時に、補強杆部２２ｄと第二傾斜杆部２２ｂの交点（接続）部が主体杆部２２ａ，２２ａに係止して原状に確実に戻るようにしてある。
【００２３】
この接続材２２を先端に備えた通線ツール１６Ａを後端にリードワイヤー７を接続した状態で第一電柱１Ａ側からケーブル支持具２を挿通するようにして吊線ａに沿ってリードワイヤー（具体例を挙げるまでもなく公知でＦＲＰのように指向性と剛性を備えている）７を操作して前記の通り押送するのである。
【００２４】
そして、前記の通り、第二電柱１Ｂ側から、後端にケーブル１８を接続した通線ツール１６Ｂを押送するのである。
【００２５】
通線ツール１６Ｂは、前記通線ツール１６Ａと弾性杆２０や集束材２１とを備えたものである点は符号を同じにして示す通り構成を同じくするが、主体杆１９の後端には前記接続装置２３に図示省略ケーブルグリップ（接続装置の一種ではあるが）を設けて前記ケーブル１８の先端を接続し、また、主体杆１９の先端に雌側接続材２５を突設してある。
【００２６】
雌側接続材（金属杆で構成してある）２５は先端の円形のリング体部２５ａと該リング体部２５ａから後方に延設した４本の脚杆部２５ｂ，２５ｂ，２５ｂ，２５ｂとで構成し、脚杆部２５ｂの基部を前記主体杆１９の先端に装着したもので、この雌側接続材２５の前記リング体部２５ａは、前記通線ツール１６Ａ側に設けた雄側接続材２２が（具体的には一対の傾斜杆部２１ａ，２１ａが同時に）強制的に（弾性変形して）通過できる程度の内径を備えたものである。
【００２７】
この雌側接続材２５を先端に備えた通線ツール１６Ｂを後端に前記ケーブル１８を接続した状態で第二電柱１Ｂ側からケーブル支持具２を挿通するようにして吊線ａに沿ってケーブル１８を操作して前記の通り押送するのである。
【００２８】
そうすると、第一電柱１Ａ側から送り込む通線ツール１６Ａと第二電柱１Ｂ側から送り込む通線ツール１６Ｂは、送り込み量に従って次第に近接し（図６）、ついには、各ツール１６Ａ，１６Ｂに設けた接続材２２，２５の先端は、ケーブル支持具２又は仮設ハンガーツール３の螺旋杆部４の内側であって、しかも弾性杆２０によって軸線に沿う限定された個所に沿って移動しているから、互いに衝接することになり、この結果、雄側接続材２２は雌側接続材２５のリング体部２５ａ内を弾性変形して縮径して通過することになり、該接続材２２の傾斜杆部２２ａが通過した時点で弾性によって原位置に復帰することになるから雌雄の接続材２２，２５は互いに接続され、各接続材２２，２５を備えた通線ツール１６Ａ，１６Ｂ同士は互いに接続された状態となり、従って、リードワイヤー１７とケーブル１８は接続されたことになる（図１（ｃ））。
【００２９】
なお、図１では仮設ハンガーツール３部すなわち第三電柱１Ｃ位置で前記の接続操作が行われることを示しているが、リードワイヤー１７とケーブル１８の指向性や剛性を比較したとき前者の方が優れており、従って、操作能力および時間が同じとして考えた場合は、第一電柱１Ａ側からのリードワイヤー１７を用いた雄側接続材２２の方が速くケーブル支持具２内を前進するため、概し、雌雄接続材２２，２５の接続（ドッキング）は第二電柱１Ｂに近い個所で行われる。
【００３０】
いずれにしても、リードワイヤー１７とケーブル１８を通線ツール１６Ａ，１６Ｂを介して接続した後、第一電柱１Ａ側からリードワイヤー１７を牽引すると通線ツール１６Ａ側は原位置方向へ復帰する一方、これに伴われて通線ツール１６Ｂ側は前進を続け（図１（ｄ））、最終的にはケーブル１８は第三電柱１Ｃを介する第一、第二の電柱１Ａ，１Ｂ間に架線されることになるのである。
【図面の簡単な説明】
【００３１】
【図１】工程順を示す略示説明図。
【図２】一方の通線ロッドの先端に設けた先導材の側面図。
【図３】接続雄材の正面図。
【図４】他方の通線ロッドの先端に設けた先導材の一部の側面図。
【図５】接続雄材と接続雌材を互いに接続させた状態を示す側面図。
【図６】仮設ハンガーツールを適用した状態の略示説明図。
【図７】仮設ハンガーツールの正面図。
【図８】仮設ハンガーツールの平面図。
【図９】仮設ハンガーツールの一部拡大側面図。
【符号の説明】
【００３２】
１Ａ，１Ｂ      電柱
２              ケーブル支持具
１６Ａ，１６Ｂ  通線ツール
１７            リードワイヤー
１８            ケーブル
２２，２５      接続材
【図１】
2005184915.tif 000003
【図２】
2005184915.tif 000004
【図３】
2005184915.tif 000005
【図４】
2005184915.tif 000006
【図５】
2005184915.tif 000007
【図６】
2005184915.tif 000008
【図７】
2005184915.tif 000009
【図８】
2005184915.tif 000010
【図９】
2005184915.tif 000011